(57)【要約】【課題】輝度ムラが低減する、簡易な構成の光源ユニットを提供する。【解決手段】光源ユニット３００は、モジュール取り付け部５００、第一のＬＥＤモジュール４１０、複数の第二のＬＥＤモジュール４２０、及びカバー部６００を備えている。モジュール取り付け部５００は、光源設置面３０１を有する。第一のＬＥＤモジュール４１０は、複数のＬＥＤ４０１が格子状に配列され、光源設置面３０１に設置されている。４つの第二のＬＥＤモジュール４２０のそれぞれは、複数のＬＥＤ４０１が直線状に配列されている。４つの第二のＬＥＤモジュール４２０は、光源設置面３０１に設置される。第一のＬＥＤモジュール４１０は正方形の形状である。複数の第二のＬＥＤモジュール４２０のそれぞれは、細長い長方形の形状である。複数の第二のＬＥＤモジュール４２０は、光源設置面３０１に、第一のＬＥＤモジュール４１０を囲むように枠形状に設置されている。【選択図】図５
2017162649.tif 000002
【特許請求の範囲】
【請求項１】
光源設置面を有する光源取り付け部と、
複数の発光ダイオードが格子状に配列され、前記光源設置面に設置された第一の実装基板と、
複数の発光ダイオードが直線状に配列された複数の基板であって、前記光源設置面に設置されて前記第一の実装基板の周囲を囲む複数の基板である複数の第二の実装基板と、
前記光源取り付け部に取り付けられ、前記第一の実装基板と前記複数の第二の実装基板とを覆う透光性を有するカバー部と
を備える光源ユニット。
【請求項２】
前記第一の実装基板は、
長方形をなしており、
前記複数の第二の実装基板の各第二の実装基板は、
前記第一の実装基板よりも細長い長方形をなしており、
前記複数の第二の実装基板は、
前記光源設置面に枠形状に設置された請求項１に記載の光源ユニット。
【請求項３】
前記複数の第二の実装基板の各第二の実装基板は、
３個以上の発光ダイオードが配列されていると共に、前記直線状の両端の前記発光ダイオードに挟まれる発光ダイオードを少なくとも覆う、単一のレンズを有する請求項２に記載の光源ユニット。
【請求項４】
前記複数の第二の実装基板に配列された複数の発光ダイオードは、
全体で、前記第一の実装基板を囲む四角形をなす請求項２または請求項３に記載の光源ユニット。
【請求項５】
前記光源ユニットは、
複数の発光ダイオードが直線状に配列された複数の基板であって、前記光源設置面に設置されて前記第二の実装基板の周囲を枠形状に囲む複数の基板である複数の第三の基板
を備える請求項２から請求項４のいずれか一項に記載の光源ユニット。
【請求項６】
請求項１から請求項５のいずれか一項に記載の光源ユニットと、
前記光源ユニットが取り付けられた器具本体と
を備える照明装置。
【発明の詳細な説明】
【技術分野】
【０００１】
この発明は照明装置の光源ユニット及びこの光源ユニットを備える照明装置に関する。
【背景技術】
【０００２】
特許文献１の図１に記載の照明器具では、光源ユニットは、略正方形状をした基板に複数の発光ダイオードが縦横均等に配設された複数の光源モジュールが配設されたフレームと、複数の光源モジュールを覆うように取り付けられたカバーとを備えており、光源モジュールは個々の発光ダイオードにレンズが装着されている。この光源ユニットでは、光源モジュールがフレームに敷き詰められるように配置されているとともに、レンズを装着していることで、カバーの輝度ムラを抑制し輝度が均一になるようにしている。
【先行技術文献】
【特許文献】
【０００３】
【特許文献１】国際公開第２０１３／１３３１４７号
【発明の概要】
【発明が解決しようとする課題】
【０００４】
しかしながら、特許文献１に記載の照明器具は、特許文献１の図１のようにフレームに光源モジュールを敷き詰めるように取り付けており多く基板を必要としている。また、１つの発光ダイオードに対して１つのレンズを装着しており、多くの組立作業が必要である。また、基板を複数枚使用しているが、その分、電気的接続を取るための配線部材と組立作業が必要となる。また、基板を一枚の大板にすれば、配線部材は減らすことが出来るが、基板を定尺の母材から切り出す際に、多くの余り材料が出てしまい、歩留りが悪くなる事で基板のコストは高くなる。
【０００５】
本発明は、簡易な構成で輝度ムラを低減させる光源ユニットの提供を目的とする。
【課題を解決するための手段】
【０００６】
この発明の光源ユニットは、
光源設置面を有する光源取り付け部と、
複数の発光ダイオードが格子状に配列され、前記光源設置面に設置された第一の実装基板と、
複数の発光ダイオードが直線状に配列された複数の基板であって、前記光源設置面に設置されて前記第一の実装基板の周囲を囲む複数の基板である複数の第二の実装基板と、
前記光源取り付け部に取り付けられ、前記第一の実装基板と前記複数の第二の実装基板とを覆う透光性を有するカバー部と
を備えることを特徴とする。
【発明の効果】
【０００７】
本発明によれば、簡易な構成で輝度ムラを低減させる光源ユニットを提供できる。
【図面の簡単な説明】
【０００８】
【図１】実施の形態１の図で、照明装置を示す斜視図。
【図２】実施の形態１の図で、照明装置の分解斜視図。
【図３】実施の形態１の図で、光源ユニットの分解斜視図。
【図４】実施の形態１の図で、図３とは異なる方向の光源ユニットの分解斜視図。
【図５】実施の形態１の図で、発光ダイオードの配置を説明するための図。
【図６】実施の形態１の図で、（ａ）は第一のＬＥＤモジュールに実装された発光ダイオードの配光特性を示す図、（ｂ）は第二のＬＥＤモジュールに実装された発光ダイオードの配光特性を示す図。
【図７】実施の形態１の図で、第二のＬＥＤモジュールの変形例を示す図。
【図８】実施の形態１の図で、第二のＬＥＤモジュールの別の変形例を示す図。
【図９】実施の形態１の図で、光源ユニットの変形例を示す。
【図１０】実施の形態１の図で、光源ユニットの別の変形例を示す図。
【図１１】実施の形態２の図で、照明装置の器具本体の側面図及び部分断面図。
【図１２】実施の形態２の図で、照明装置の光源ユニットの分解斜視図。
【図１３】実施の形態２の図で、照明装置の光源ユニットの部分断面図。
【図１４】実施の形態２の図で、照明装置の光源ユニットの平面図。イドする動作を示す図。
【図１５】実施の形態２の図で、照明装置を天井に取り付ける例を示す図。
【図１６】実施の形態２の図で、照明装置を天井に取り付ける例を示す図。
【図１７】実施の形態２の変形例の図で、照明装置の斜視図。
【図１８】実施の形態２の変形例の図で、照明装置を天井に取り付ける例を示す図。
【図１９】実施の形態２の変形例の図で、照明装置の斜視図。
【図２０】実施の形態２の変形例の図で、照明装置を天井に取り付ける例を示す図。
【図２１】実施の形態２の図で、照明装置の部分断面図。
【発明を実施するための形態】
【０００９】
以下に図面を参照して実施の形態１及び実施の形態２の照明装置を説明する。実施の形態１は、光源ユニットにおける発光ダイオード（以下ＬＥＤという）の配置に関する。実施の形態２は実施の形態１の照明装置を構成する光源ユニット及び器具本体の構造に関する。実施の形態２の照明装置のＬＥＤ配置は実施の形態１のとおりである。
【００１０】
実施の形態１．
＜＊＊＊構成の説明＊＊＊＞
図１から図１０を用いて、本実施の形態における照明装置の構成について説明を行なう。本実施の形態では、照明装置の一例として天井などの被取付部に取り付けられる照明装置について説明をおこなう。
【００１１】
図１は照明装置１００の外観を示す斜視図である。図２は、照明装置１００を、器具本体１０１と光源ユニット３００とに分けた分解斜視図である。図２に示すように、照明装置１００は、一面が開口した箱形状をなす器具本体１０１と、器具本体１０１の開口を塞ぐように器具本体１０１に取り付けられる光源ユニット３００とを備えている。
【００１２】
図２のように、器具本体１０１は、天井などの被取付部に取り付けられる四角形状の本体面部１１０と、本体面部１１０の斜方向に形成された傾斜部１２１を有する。本体面部１１０には、図示しないボルトなどの取付具により被取付部に取り付けられる為の引き込み孔１１１と、商用電源からの電力の供給をうける為に外部から電線（図示なし）を引き込む為の挿入孔１１２が形成されている。また、器具本体１０１には、端子台や光源ユニット３００を取り付ける為の器具側の固定機構２００を備えている。
【００１３】
図３は光源ユニット３００の分解斜視図であり、図４は図３とは異なる方向の光源ユニット３００の分解斜視図である。また図５は、ＬＥＤ４０１の配置を説明するための模式的な図である。図５の（ａ）は、図１に示す面Ｘを切断面とする断面に相当し、また、図４のＢ矢視に相当する。図１の面Ｘは、カバー側面部６２０の途中をカバー正面部６１０に平行に切断する面である。図５の（ｂ）は、光源ユニット３００の、図５の（ａ）のＹ−Ｙの位置に相当する断面である。図５の（ａ）は、右回りに９０度回転しても回転前と同じ位置関係である。光源ユニット３００は、ＬＥＤモジュール４００、モジュール取り付け部５００、及びカバー部６００を有する。ＬＥＤモジュール４００は、第一のＬＥＤモジュール４１０と、複数の第二のＬＥＤモジュール４２０とがある。
（１）モジュール取り付け部５００は、光源設置面３０１を有する光源取り付け部９５００である。
（２）第一のＬＥＤモジュール４１０は、複数のＬＥＤ４０１が格子状に配列され、光源設置面３０１に設置された第一の実装基板９４１０である。
（３）複数の第二のＬＥＤモジュール４２０は、複数のＬＥＤ４０１が直線状に配列された複数の基板であって、光源設置面３０１に設置されて第一のＬＥＤモジュール４１０の周囲を囲む。それぞれの第二のＬＥＤモジュール４２０は、複数のＬＥＤが実装された基板である第二の実装基板９４２０である。
（４）カバー部６００は、開口した箱形状でありモジュール取り付け部５００に取り付けられ、第一のＬＥＤモジュール４１０と第二のＬＥＤモジュール４２０とを覆う透光性を有するカバーである。カバー部６００は開口が形成された箱形状であり、開口の周縁がモジュール取り付け部５００のカバー受け部５２０に嵌りモジュール取り付け部５００に取り付けられる。詳しい取付け構造は実施の形態２で説明する。
【００１４】
第一のＬＥＤモジュール４１０は長方形をなしている。なお、長方形は正方形も含む。この実施の形態では図５の（ａ）に示すように、第一のＬＥＤモジュール４１０は一辺が寸法Ｌ１の略正方形の形状である。
【００１５】
モジュール取り付け部５００の光源設置面３０１の反対側は、点灯装置設置面３０２である。点灯装置設置面３０２には、２台の点灯装置８００が設置されている。それぞれの点灯装置８００は図示していない端子台を介して商用電源から電力供給をうけ、一方の点灯装置８００は第一のＬＥＤモジュール４１０を点灯させ、他方の点灯装置８００は複数の第二のＬＥＤモジュール４２０を点灯させる。また、点灯装置設置面３０２には、器具本体に取り付けられる為の光源側の取付機構である、「穴開き部材２３０、引っ掛け部材２４０、摺動部材２５０、押さえ部材２６０」等（後述の図１４）が設置されている。これらの詳細は実施の形態２で説明する。
【００１６】
図６はＬＥＤの配光特性を示す。図６の（ａ）は、第一のＬＥＤモジュール４１０のＬＥＤ４０１の配光特性を示す。図６の（ｂ）は、第二のＬＥＤモジュール４２０のＬＥＤ４０１の配光特性を示し、より具体的にはレンズ４２２を出射する光の配光特性である。第一のＬＥＤモジュール４１０は、略正方形状に形成された第一の基板４１１と、第一の基板４１１に実装される複数のＬＥＤ４０１とを有している。複数のＬＥＤ４０１は、図５の（ａ）に示すように、縦横の間隔が均等のピッチＰＡで、格子状に配列されている。図６の（ａ）に示すように、第一のＬＥＤモジュール４１０のＬＥＤ４０１は、略ランバーシャンな配光分布をもつ。
【００１７】
図５の（ａ）に示すように、複数（４つ）の第二のＬＥＤモジュール４２０は、光源設置面３０１に枠形状に設置されている。図５の（ａ）に示す４つの第二のＬＥＤモジュール４２０は第一のＬＥＤモジュール４１０よりも細長い長方形をなしている。この４つの第二のＬＥＤモジュール４２０は同じものであり、長さＬ２、幅Ｂ２、実装ＬＥＤ数１２個である。一つの第二のＬＥＤモジュール４２０は、第一の基板４１１よりも細長い長方形の形状に形成された第二の基板４２１、第二の基板４２１に直線状に実装された複数のＬＥＤ４０１、ＬＥＤ４０１を覆うように取り付けられた単一のレンズ４２２を有している。一つの第二のＬＥＤモジュール４２０では、複数のＬＥＤ４０１は間隔がピッチＰＢ（図５の（ａ））で均等に配列されている。また、図５の（ａ）に示すように、枠形状に設置され４つの第二のＬＥＤモジュール４２０に配列された複数のＬＥＤ４０１は、全体で、第一のＬＥＤモジュール４１０を囲む四角形をなすが、これらのＬＥＤ４０１に関しても、均等な間隔のピッチＰＢで、四角形に配列されている。つまり４つの第二のＬＥＤモジュール４２０では４８個のＬＥＤ４０１があるが、これらの隣どうしの間隔はＰＢである。
【００１８】
一つの第二のＬＥＤモジュール４２０におけるレンズ４２２は単一のレンズであり、長尺に形成されている。レンズ４２２は、第二の基板４２１の短手方向である幅Ｂ２方向においてＬＥＤ４０１を覆う形状が、第二の基板４２１の長手方向である長さＬ２方向に沿って連続する形状である。レンズ４２２は押出成形で単一のレンズとして製造可能である。また図６の（ｂ）に示すように、レンズ４２２は、第二の基板４２１の幅Ｂ２方向において、ＬＥＤ４０１の照射する光を広角化して出射する。
【００１９】
図３、図４のように、モジュール取り付け部５００は、第一のＬＥＤモジュール４１０、第二のＬＥＤモジュール４２０等が設置される略正方形状をした取り付け正面部５１０と、取り付け正面部５１０の周囲に凹形状に形成されたカバー受け部５２０を有している。カバー受け部５２０にはカバー部６００の端部が挿し込まれる。
【００２０】
カバー部６００は、一面が開口した箱形状をしている。カバー部６００は、開口と対向する位置に設けられた略正方形状のカバー正面部６１０と、カバー正面部６１０の側辺それぞれより略垂直に突設したカバー側面部６２０を有している。なお、モジュール取り付け部５００、カバー部６００等の構成は、実施の形態２で詳しく説明する。
【００２１】
モジュール取り付け部５００の取り付け正面部５１０の光源設置面３０１に設置された、第一のＬＥＤモジュール４１０、第二のＬＥＤモジュール４２０の配置及びＬＥＤ４０１の配置を説明する。図５の（ａ）に示すように、第一のＬＥＤモジュール４１０と、４つの第二のＬＥＤモジュール４２０とは、モジュール取り付け部５００の取り付け正面部５１０の光源設置面３０１に設置される。第一のＬＥＤモジュール４１０は、光源設置面３０１の略中央に設置されている。第二のＬＥＤモジュール４２０は、間隔ａを設けて，第一のＬＥＤモジュール４１０の側方を囲むように４つが配置されている。間隔ａは、第一の基板４１１と第二の基板４２１とが光源設置面３０１を覆わない隙間である。第二のＬＥＤモジュール４２０の短手側辺４２３（幅Ｂ２）は、隣接する第二のＬＥＤモジュール４２０の長手側辺４２４（長さＬ２）の端部側に当接するように配置される。
【００２２】
この配置により、４つの第二のＬＥＤモジュール４２０は、外周の一辺が「Ｌ２＋Ｂ２」の正方形、内周の一辺が「Ｌ２−Ｂ２」の正方形となる枠形状を構成する。なお、本実施の形態では４つの第二のＬＥＤモジュール４２０で枠形状を形成しているが、５つ以上で枠形状を構成してもよい。具体的には、４つのうち一つの第二のＬＥＤモジュール４２０を２つに分割したように、合計５つの第二のＬＥＤモジュール４２０で枠形状を構成してもよい。４つの第二のＬＥＤモジュール４２０をそれぞれ２つに分割して８つの第二のＬＥＤモジュール４２０で枠形状を構成してもよい。なお、第二のＬＥＤモジュール４２０の個数を少なくする点では４つがよい。また、一つの基板で枠形状を形成してもよい。つまり歩留りは劣るが、４つの第二のＬＥＤモジュール４２０で形成している枠形状を一つの基板で形成してもよい。
【００２３】
図５の（ａ）に示すような第二のＬＥＤモジュール４２０の配置は、第二のＬＥＤモジュール４２０のＬＥＤ４０１の発光面４０１−２と、カバー正面部６１０の内面６１１までの高さＨＣ、カバーの大きさＷ、及びＬＥＤ４０１の配光から、以下に説明するように設定される。ここでカバーの大きさＷとは、向き合うカバー側面部６２０どうしの内面６２２と内面６２２との距離である。図５の（ａ）に示すように、平面視のカバー部６００の内面６１１は縦横ともに寸法Ｗの正方形としている。
【００２４】
図５を参照して説明する。まず、第一のＬＥＤモジュール４１０の照射領域Ａと、第二のＬＥＤモジュール４２０の照射領域Ｂを設定する。図５の（ａ）では、照射領域Ａを右上がりのハッチングで示している。ハッチングで示す照射領域Ａは縦横ともに寸法Ａの正方形である。
ここで、図５の（ａ）に示すように、
Ａ＋２×Ｂ＝Ｗ
の関係が成立する。
第一のＬＥＤモジュール４１０のＬＥＤ４０１の配光分布は、図６の（ａ）に示す略ランバーシャンの形状をしている。図５の（ｂ）において、第一のＬＥＤモジュール４１０の照射領域Ａについては、第一のＬＥＤモジュール４１０の最外周に実装された３６個のＬＥＤ４０１Ａの一つに着目し、鉛直方向に対し光度が半分になる方向の鉛直角約６０度方向にＬＥＤ４０１Ａから照射された光が、カバー正面部６１０の内面６１１にあたる範囲を照射領域Ａとする。つまり、照射領域Ａは以下の式１、式２から得られる。正面の光度に比べ、光度が半分になる角度θ（半値角とも呼ぶ）は、
θ＝ｃｏｓ−１０．５＝６０°    （式１）
照射領域Ａ＝ＬＡ＋２×Ｈ×ｔａｎθ    （式２）
なおＬＡは、図５の（ｂ）に示すように、２つのＬＥＤ４０１Ａの光軸間の距離である。ＨはＬＥＤ４０１Ａの発光面と内面６１１との距離である。
【００２５】
また、第二のＬＥＤモジュール４２０の照射領域Ｂは、カバー正面部６１０の幅Ｗ（向かい合う内面６２２間の距離）から、第一のＬＥＤモジュール４１０の受け持ち範囲Ａを引いた分であり式３から求まる。
Ｂ＝（Ｗ−Ａ）／２    （式３）
ここで、カバー面の輝度ムラを抑制するためには、範囲Ａと範囲Ｂの面積あたりの光束はほぼ等しい事が望ましい。
つまり、第一のＬＥＤモジュール４１０及び第二のＬＥＤモジュール４２０に実装されたＬＥＤ４０１の１個あたりの光束が同じ場合、次の式４が成り立つことが望ましい。
第一のＬＥＤモジュール４１０のＬＥＤ数／範囲Ａの面積＝４つの第二のＬＥＤモジュール４２０のＬＥＤ数／範囲Ｂの面積    （式４）
ここで、範囲Ａの面積、範囲Ｂの面積は、図５の（ｂ）の寸法を用いると、
範囲Ａの面積＝Ａ＾２
範囲Ｂの面積＝Ｗ＾２−Ａ＾２
である。
【００２６】
次に、第二のＬＥＤモジュール４２０の配置とレンズ４２２の配光制御とについて説明する。図５の（ａ）において、
ＰＣ＝ＨＣ×ｔａｎθ１    （式５）
である。ここでθ１は受け持ちの角度である。第二のＬＥＤモジュール４２０は、範囲Ｂの中心であることが望ましい。
つまり、
ＰＣ＝Ｂ／２    （式６）
が望ましい。
レンズ４２２は、幅Ｂを受け持つ。つまりレンズ４２２によって式６を満たすようにする。ここでレンズ４２２は、内面６１１の受け持ちの範囲が均一な照度になるように、式７に基づき光を制御する。式７は図６の（ｂ）に対応する。
光度（θ）＝中心光度／ＣＯＳθ＾３    （式７）
図６の（ｂ）に示すように、θ１よりも広い角度の光は、第一のＬＥＤモジュール４１０の範囲Ａとカバー側面部６２０に照射される。この範囲の光度は、第一のＬＥＤモジュール４１０が受け持つ範囲Ａとの輝度の連続性と、カバー側面部６２０の輝度とにより設定される。
【００２７】
なお、式６の説明では第二のＬＥＤモジュール４２０は、範囲Ｂの中心であることが望ましいとしたが、レンズ４２２を非対称とすれば、範囲Ｂの中心からずらしても良い。
【００２８】
＜＊＊＊効果の説明＊＊＊＞
それぞれのカバー側面部６２０には、そのカバー側面部６２０に沿って配置された第二のＬＥＤモジュール４２０のレンズ４２２の長手側から光が照射される。よって、カバー側面部６２０のそれぞれが同じように、それぞれの第二のＬＥＤモジュール４２０から照射されるため、簡易な構成で輝度ムラを低減できる。
【００２９】
また、一つの第一のＬＥＤモジュール４１０と、４つの第二のＬＥＤモジュール４２０とが、モジュール取り付け部５００の取り付け正面部５１０の光源設置面３０１に、間隔ａを設けて配置されている。この配置によって、光源ユニット３００では、従来の光源モジュール（特許文献１の図１）よりも使用する基板を少なくすることができる。
【００３０】
また、第一の基板４１１と第二の基板４２１とを、従来の光源モジュールよりも小さい形状とすることで、母材の余り材料を減らし、歩留りを良くすることができる。
【００３１】
＜変形例１＞
図７に示すように、全体で四角形をなす４つの第二のＬＥＤモジュール４２０に実装された複数のＬＥＤ４０１のうち、四角形の角部Ｃに配置されるＬＥＤ４０１には、レンズ４２２を装着しないようにしても良い。つまり四角形の４つ角部Ｃのうち、少なくとも一か所の角部Ｃではその位置のＬＥＤ４０１はレンズ４２２で覆わなくてもよい。つまり一般的には、光源ユニット３００では、枠形状をなす複数の第二のＬＥＤモジュール４２０の各第二のＬＥＤモジュール４２０は、３個以上のＬＥＤが配列されているとした場合、直線状の両端のＬＥＤに挟まれるＬＥＤを少なくとも覆う、単一のレンズ４２２を有すればよい。このような構成により、カバー部６００の角は、レンズ４２２による配光制御を受けず、ＬＥＤ４０１自体により方向性なく照射する。
【００３２】
＜変形例２＞
また、図８に示すように、第二のＬＥＤモジュール４２０の第二の基板４２１のコネクタ部４２５は、４つの第二のＬＥＤモジュール４２０を枠形状に配置したときに、枠形状の内周側になるように設けても良い。電線の接続部であるコネクタ部４２５を内周側に設けることで、隣接する第二のＬＥＤモジュール４２０同士の電線の接続がしやすくなる。また、カバー部６００がモジュール取り付け部５００に取り付けられるときに、電線がカバー部６００の端部とカバー受け部５２０の間に挟まれるのを防ぐことができる。
【００３３】
なお、一つの第二のＬＥＤモジュール４２０におけるＬＥＤ４０１は、一列に限らず二列、あるいは三列以上の複数列に配置されてもよい。
【００３４】
また、光源ユニット３００は、カバー正面部６１０の側辺それぞれから略垂直に突設したカバー側面部６２０を有さなくてもよい。
【００３５】
＜変形例３＞
また、光源ユニット３００のサイズの大きい（取り付け正面部５１０、カバー正面部６１０が大きい）照明装置には、図９に示すように、第二のＬＥＤモジュール４２０の外周に、さらに複数の第三のＬＥＤモジュール４３０を枠形状に設置してもよい。つまり光源ユニット３００は、複数のＬＥＤが直線状に配列された複数の基板であって、光源設置面３０１に設置されて第二のＬＥＤモジュール４２０の周囲を枠形状に囲む複数の基板である複数の第三のＬＥＤモジュール４３０を備えてもよい。第三のＬＥＤモジュール４３０は第三の実装基板９４３０である。この場合、第二のＬＥＤモジュール４２０と第三のＬＥＤモジュール４３０との照射領域の関係は、第一のＬＥＤモジュール４１０と第二のＬＥＤモジュール４２０との関係と同様である。
【００３６】
＜変形例４＞
また、さらに大きい場合は、図１０に示すように、第四の実装基板９４４０である第四のＬＥＤモジュール４４０を設け、第三のＬＥＤモジュール４３０の外周に、さらに複数の第四のＬＥＤモジュール４４０を枠形状に設置してもよい。この場合、第三のＬＥＤモジュール４３０と第四のＬＥＤモジュール４４０との照射領域の関係は、第ニのＬＥＤモジュール４２０と第三のＬＥＤモジュール４３０との関係と同様である。図９、図１０のような構成によって、照明装置のサイズに適した光源ユニットを実現できる。この場合、各サイズにおける第一のＬＥＤモジュール４１０、第二のＬＥＤモジュール４２０を共通化できる。
【００３７】
なお、図５の説明において、照射領域Ａおよび照射領域Ｂは、第一のＬＥＤモジュール４１０および第二のＬＥＤモジュール４２０それぞれから照射される光のうちメインの光が照射される領域に関して設定している。よって実際には、第一のＬＥＤモジュール４１０は照射領域Ｂ側を照射する光、第二のＬＥＤモジュール４２０は照射領域Ａ側を照射する光がそれぞれ存在する。
【００３８】
実施の形態２．
以下、実施の形態２について、図を用いて説明する。なお、各図中、同一又は相当する部分には、同一符号を付している。実施の形態の説明において、同一又は相当する部分については、その説明を適宜省略又は簡略化する。装置、器具、部品等の構成について、その材質、形状、大きさ等は、本発明の範囲内で適宜変更することができる。
【００３９】
本実施の形態に係る装置の構成、本実施の形態に係る装置を組み立てる手順、本実施の形態の効果を順番に説明する。
【００４０】
＊＊＊構成の説明＊＊＊
以下の実施の形態の説明において、「上方」、「下方」、「側方」、「前方」、「後方」、「斜め上方」、「斜め下方」といった方向は、照明装置１００が天井に取り付けられる場合の方向を示している。照明装置１００は、壁等、天井以外の被取り付け部に取り付けられてもよい。
【００４１】
照明装置１００は、器具本体１０１と、器具本体１０１に装着される光源ユニット３００とを備える。本実施の形態では、光源ユニット３００が、器具本体１０１に着脱自在に取り付けられる。
【００４２】
主に図１１を参照して、器具本体１０１の構成を説明する。図１１は、器具本体１０１を側方から見た図、及び、器具本体１０１の一部を切断した断面を示す図である。なお、断面のハッチングは省略している。
【００４３】
器具本体１０１は、ボルト等の固定具により被取り付け部に取り付けられる。器具本体１０１は、正方形状の本体面部１１０と、この本体面部１１０の四辺から折り曲げられて形成される４つの側面部１２０と、本体面部１１０に取り付けられ、外部から引き込まれる給電用の電線がつなげられる端子台（図示していない）とを備えている。
【００４４】
本体面部１１０には、光源ユニット３００を保持及び固定するためのバネ部材（図示していない）及び爪付き部材（図示していない）が取り付けられている。また、本体面部１１０には、端子台に挿し込まれる電線を外部から引き込むための引き込み孔１１１（図２）と、器具本体１０１を被取り付け部に固定するボルト等の固定具を挿し込むための挿入孔１１２（図２）とが形成されている。なお、引き込み孔１１１は、本体面部１１０の中心に１つ、中心から一方側の側面部１２０側に離れた位置に１つ形成されている。挿入孔１１２は、これら２つの引き込み孔１１１に対して両側に１つずつ形成されている。具体的には、１つの挿入孔１１２が、本体面部１１０の中心の引き込み孔１１１から別の引き込み孔１１１がある方向とは９０度ずれた方向に設けられ、もう１つの挿入孔１１２が、本体面部１１０の中心の引き込み孔１１１から別の引き込み孔１１１がある方向とは−９０度ずれた方向に設けられている。引き込み孔１１１は、いずれも円形である。挿入孔１１２は、いずれも長穴であるが、互いの向きが９０度ずれた形になっている。
【００４５】
側面部１２０は、本体面部１１０の側辺より外方向へ斜めに形成され、台形形状である傾斜部１２１と、傾斜部１２１の端部より本体面部１１０と平行に形成された水平受け部１２２と、水平受け部１２２の端部より傾斜部１２１と反対方向へ垂直に形成された光源受け部１２３とで構成されている。
【００４６】
主に図１２及び図１３及び図１４を参照して、光源ユニット３００の構成を説明する。図１２は、光源ユニット３００を分解した図である。図１２は詳しい構造の説明のため、図３に固定金具７００と部位の符号を追加した図である。
図１３は、光源ユニット３００の一部を切断した断面を示す図である。図１３に示すＬＥＤモジュール４００は第二のＬＥＤモジュール４２０である。図１４は、光源ユニット３００を上方から見た図である。
【００４７】
実施の形態１で述べたように、光源ユニット３００は、光源であるＬＥＤモジュール４００（第一のＬＥＤモジュール４１０及び４つの第二のＬＥＤモジュール４２０）と、ＬＥＤモジュール４００が取り付けられたモジュール取り付け部５００と、ＬＥＤモジュール４００を覆うようにモジュール取り付け部５００に固定されるカバー部６００と、カバー部６００をモジュール取り付け部５００に固定する固定金具７００と、ＬＥＤモジュール４００を点灯させる点灯装置８００と、バネ部材が挿入される穴開き部材２３０と、爪付き部材０に引っ掛けられる引っ掛け部材２４０とを備えている。光源ユニット３００は、さらに、引っ掛け部材２４０と組み合わせて使用される摺動部材２５０及び押さえ部材２６０を備えている。なお、第一のＬＥＤモジュール４１０及び４つの第二のＬＥＤモジュール４２０については、区別が特に必要ない場合は、ＬＥＤモジュール４００と記す。
【００４８】
モジュール取り付け部５００は、ＬＥＤモジュール４００（第一のＬＥＤモジュール４１０及び４つの第二のＬＥＤモジュール４２０）が取り付けられる取り付け正面部５１０と、取り付け正面部５１０の外周部に平面視で「ロ」の字状に設けられ、カバー部６００の端部が挿し込まれるカバー受け部５２０とで構成されている。
【００４９】
取り付け正面部５１０は、四角形の板状であり、一方の面である光源設置面３０１にはＬＥＤモジュール４００（第一のＬＥＤモジュール４１０及び４つの第二のＬＥＤモジュール４２０）が配設され、他方の面である点灯装置設置面３０２には１対の点灯装置８００、１対の穴開き部材２３０、１対の引っ掛け部材２４０が配列されている。点灯装置８００は、中央付近に長手方向の側面が対向するように並行する状態で２つ設置されている。穴開き部材２３０と引っ掛け部材２４０は、点灯装置８００に対して点灯装置８００の長手方向の側面が対向するカバー受け部５２０に寄った状態において点灯装置８００の短手方向の側面に対向するカバー受け部５２０にそれぞれ寄って配設されている。引っ掛け部材２４０は、先端がカバー受け部５２０より外側に突き出すようにスライド可能である。
【００５０】
上記のように、取り付け正面部５１０には、光源が設置される光源設置面３０１と、光源設置面３０１の反対の面であり、かつ、器具本体１０１の端子台設置面１０２に対向する面であり、長手状の点灯装置８００が設置される点灯装置設置面３０２とが形成されている。即ち、光源ユニット３００は、光源設置面３０１と、点灯装置設置面３０２とを有する。点灯装置８００は、器具本体１０１の端子台を介して給電されることで光源を点灯させる。
【００５１】
カバー受け部５２０は、取り付け正面部５１０の側辺に配設されており、取り付け正面部５１０の側辺から点灯装置８００側に立ち上がった内側側面部５２１と、内側側面部５２１から取り付け正面部５１０と平行に外側に延びる水平側面部５２２と、水平側面部５２２の外側の端部より垂直にＬＥＤモジュール４００側に延びる外側側面部５２３とからなり、断面視で「コ」の字形状である。内側側面部５２１には、後述する固定金具７００の固定爪部７３０が挿し込まれる挿通孔５２４が形成されている。
【００５２】
カバー部６００は、一面が開口した箱形状であり、開口の奥にはカバー正面部６１０、開口の周りにはカバー正面部６１０から立ち上がるカバー側面部６２０が形成されている。図１２に示すように、カバー側面部６２０の内側の面である内面６２２には、カバー部６００の開口の周縁寄りにカバー固定孔６２１が設けられており、カバー側面部６２０の外側の面には凸部６３０が形成されている。凸部６３０は、カバー受け部５２０の外側側面部５２３が下方から見えないように、外側側面部５２３の下側を隠す。
【００５３】
固定金具７００は、取り付け正面部５１０にネジで固定される固定正面部７１０と、固定正面部７１０につながり、固定正面部７１０よりも低い位置にある段差部７２０と、段差部７２０につながり、段差部７２０と同じ高さにあり、カバー固定孔６２１に嵌められる固定爪部７３０とを有している。段差部７２０は、光源ユニット３００が器具本体１０１に装着されたときに、図１１に示した器具本体１０１の側面部１２０の光源受け部１２３に当たる。
【００５４】
点灯装置８００は、照明装置１００の外部から電力供給を受け、ＬＥＤモジュール４００（第一のＬＥＤモジュール４１０及び４つの第二のＬＥＤモジュール４２０）に電力を供給し、複数のＬＥＤを点灯させる。点灯装置８００は、直方体形状に形成されており、取り付け正面部５１０のＬＥＤモジュール４００が取り付けられた面の反対面に配設される。
【００５５】
図１２及び図１３を参照して、光源ユニット３００を組み立てる手順を説明する。
【００５６】
まず、カバー部６００の開口を覆うようにＬＥＤモジュール４００が取り付けられたモジュール取り付け部５００を配設する。このとき、ＬＥＤモジュール４００は、カバー正面部６１０と対面し、カバー側面部６２０の先端は、カバー受け部５２０に挿し込まれる。
【００５７】
次に、固定金具７００を固定爪部７３０の先端から挿通孔５２４に挿し込んで係止する。そして、固定爪部７３０をカバー固定孔６２１に挿し込んで係止し、固定正面部７１０が取り付け正面部５１０の切り起こし部分に当接したら、ビス等により固定金具７００をモジュール取り付け部５００に固定する。この工程を固定金具７００が設置される全ての箇所に実施することで、カバー部６００がモジュール取り付け部５００に固定される。本実施の形態では、固定金具７００が設置される箇所は８箇所である。カバー部６００の凸部６３０は、カバー受け部５２０の外側側面部５２３の下端を覆っている。
【００５８】
図１５及び図１６を参照して、器具本体１０１を被取り付け部へ取り付ける方法を説明する。
【００５９】
器具本体１０１の取り付け方は、２通りある。
【００６０】
図１５の例では、天井材９００に本体面部１１０を当接させた後に、ボルト等の固定具を挿入孔１１２に挿通し、器具本体１０１を固定する。
【００６１】
図１６の例では、天井材９００に形成された埋め込み穴９０１に器具本体１０１の一部を埋め込んで取り付ける。具体的には、器具本体１０１を傾斜部１２１まで埋め込み、水平受け部１２２が天井材９００に当接した状態で、ボルト等の固定具を挿入孔１１２に挿通し、器具本体１０１を固定する。水平受け部１２２は、天井材９００に当接することでガタツキを抑制している。
【００６２】
また、本実施の形態では、光源ユニット３００が取り付けられる器具本体１０１が光源ユニット３００の内側に収まるため、被取り付け部に取り付けた状態では、外部から見えないようになっているが、図１７及び図１８、或いは、図１９及び図２０に示すように、器具本体１０１が外部から見えるような形状及び大きさであってもよい。また、図２１に示すように、光源ユニットの側方と対向する側面が傾斜するような側面であってもよい。
【００６３】
以上、本発明の実施の形態１，２について説明したが、これらの実施の形態を組み合わせて実施しても構わない。或いは、これらの実施の形態のうち、いずれか１つ又はいくつかを部分的に実施しても構わない。なお、本発明は、これらの実施の形態に限定されるものではなく、必要に応じて種々の変更が可能である。
【符号の説明】
【００６４】
１００  照明装置、１０１  器具本体、１０２  端子台設置面、１１０  本体面部、１１１  引き込み孔、１１２  挿入孔、１２０  側面部、１２１  傾斜部、１２２  水平受け部、１２３  光源受け部、２００  固定機構、２３０  穴開き部材、２４０  引っ掛け部材、２５０  摺動部材、２６０  押さえ部材、３００  光源ユニット、３０１  光源設置面、３０２  点灯装置設置面、４００  ＬＥＤモジュール、４０１  ＬＥＤ、４０１−２  発光面、４１０  第一のＬＥＤモジュール、４１１  第一の基板、４２０  第二のＬＥＤモジュール、４２１  第二の基板、４２２  レンズ、４２３  短手側辺、４２４  長手側辺、４２５  コネクタ部、４３０  第三のＬＥＤモジュール、４４０  第四の光源モジュール、５００  モジュール取り付け部、５１０  取り付け正面部、５２０  カバー受け部、５２１  内側側面部、５２２  水平側面部、５２３  外側側面部、５２４  挿通孔、６００  カバー部、６１０  カバー正面部、６１１  内面、６２０  カバー側面部、６２１  カバー固定孔、６２２  内面、６３０  凸部、７００  固定金具、７１０  固定正面部、７２０  段差部、７３０  固定爪部、８００  点灯装置、９００  天井材、９０１  埋め込み穴、９４１０  第一の実装基板、９４２０  第二の実装基板、９４３０  第三の実装基板。
【図１】
2017162649.tif 000003
【図２】
2017162649.tif 000004
【図３】
2017162649.tif 000005
【図４】
2017162649.tif 000006
【図５】
2017162649.tif 000007
【図６】
2017162649.tif 000008
【図７】
2017162649.tif 000009
【図８】
2017162649.tif 000010
【図９】
2017162649.tif 000011
【図１０】
2017162649.tif 000012
【図１１】
2017162649.tif 000013
【図１２】
2017162649.tif 000014
【図１３】
2017162649.tif 000015
【図１４】
2017162649.tif 000016
【図１５】
2017162649.tif 000017
【図１６】
2017162649.tif 000018
【図１７】
2017162649.tif 000019
【図１８】
2017162649.tif 000020
【図１９】
2017162649.tif 000021
【図２０】
2017162649.tif 000022
【図２１】
2017162649.tif 000023